【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
（ａ）ソケットを画定する筐体部分と、
（ｂ）該ソケットの中に配置されるスイベルデバイスと、
（ｃ）該ソケットと該スイベルデバイスとの間に配置されるレースであって、該レースは高温プラスチックから作製される、レースと
を備える、高温軸受アセンブリ。
【請求項２】
（ａ）ソケットを画定する筐体部分と、
（ｂ）該ソケットの中に配置されるスイベルデバイスと、
（ｃ）該ソケットと該スイベルデバイスとの間に配置されるレースであって、該レースは高温プラスチックから形成され、該レースは間隙を含み、それにより、該スイベルデバイスが該ソケットの中において圧着されると、該レースは崩れる、高温軸受アセンブリ。
【請求項３】
（ａ）ソケットの中に配置されるスイベルデバイスと、
（ｂ）該ソケットと該スイベルデバイスとの間に配置されるレースであって、該レースは高温プラスチックから作製される、レースと
を備える、高温軸受アセンブリ。
【請求項４】
前記レースは、最大で少なくとも約華氏４５０度、最大で少なくとも約華氏５５０度、少なくとも約華氏６５０度、および最大で少なくとも約華氏７５０度から成る群より選択される高温耐性を有する、請求項１〜３のうちのいずれか一項に記載の軸受アセンブリ。
【請求項５】
前記レースの材料は、ポリイミドベースのポリマー、ポリエーテルエーテルケトン熱可塑性物質、およびポリエーテルケトンエーテルケトンケトン熱可塑性物質から成る群より選択される材料を含む、請求項１〜４のうちのいずれか一項に記載の軸受アセンブリ。
【請求項６】
前記レースは、圧縮成形または射出成形によって形成される、請求項１〜５のうちのいずれか一項に記載の軸受アセンブリ。
【請求項７】
前記レースは、実質的にはＣ字形である、請求項１〜６のうちのいずれか一項に記載の軸受アセンブリ。
【請求項８】
前記レースは、間隙を含む、請求項１〜７のうちのいずれか一項に記載の軸受アセンブリ。
【請求項９】
前記間隙は、約０．０２０インチ以下である、請求項８に記載の軸受アセンブリ。
【請求項１０】
前記レースは、形状または大きさが５％より大きく変化しない、請求項１〜９のうちのいずれか１項に記載の軸受アセンブリ。
【請求項１１】
前記レースおよび前記スイベルデバイスは、前記ソケットの中において圧着される、請求項１〜１０のうちのいずれか一項に記載の軸受アセンブリ。
【請求項１２】
前記筐体部分は、ロッドエンドおよびプレートから成る群より選択される、請求項１〜１１のうちのいずれか一項に記載の軸受アセンブリ。
【請求項１３】
高温軸受アセンブリを作製する方法であって、
（ａ）高温プラスチックからレースを形成することと、
（ｂ）スイベルデバイスの周りに該レースを圧縮して、スイベルアセンブリを作成することと、
（ｃ）該レースがソケットと該スイベルデバイスとの間に設置されるように、該ソケットの中に該スイベルアセンブリを挿入することと、
（ｄ）該ソケットの中において該スイベルアセンブリを圧着することと
を含む、方法。
【請求項１４】
前記レースは、最大で少なくとも約華氏４５０度、最大で少なくとも約華氏５５０度、少なくとも約華氏６５０度、および最大で少なくとも約華氏７５０度から成る群より選択される高温耐性を有する、請求項１３に記載の方法。
【請求項１５】
前記レースの材料は、ポリイミドベースのポリマー、ポリエーテルエーテルケトン熱可塑性物質、およびポリエーテルケトンエーテルケトンケトン熱可塑性物質から成る群より選択される材料を含む、請求項１３または１４に記載の方法。
【請求項１６】
前記レースは、圧縮成形または射出成形によって形成される、請求項１３〜１５のうちのいずれか一項に記載の方法。
【請求項１７】
前記レースは、実質的にはＣ字形である、請求項１３〜１６のうちのいずれか一項に記載の方法。
【請求項１８】
前記レースは、間隙を含む、請求項１３〜１７のうちのいずれか一項に記載の方法。
【請求項１９】
前記間隙は、約０．０２０インチ以下である、請求項１８に記載の方法。
【請求項２０】
前記レースは、形状または大きさが５％より大きく変化しない、請求項１３〜１９のうちのいずれか１項に記載の方法。
【請求項２１】
前記レースおよび前記スイベルデバイスは、前記ソケットの中において圧着される、請求項１３〜２０のうちのいずれか一項に記載の方法。
【請求項２２】
前記筐体部分は、ロッドエンドおよびプレートから成る群より選択される、請求項１３〜２１のうちのいずれか一項に記載の方法。
【請求項２３】
前記レースは、前記スイベルデバイスの周りで圧縮される前に焼鈍される、請求項１３〜２２のうちのいずれか一項に記載の方法。
【請求項２４】
トルクが、前記ソケットの中において前記スイベルアセンブリを圧着する前に試験される、請求項１３〜２３のうちのいずれか一項に記載の方法。
【請求項２５】
前記トルクは、前記ソケットの中において前記スイベルアセンブリを圧着した後に試験される、請求項１３〜２４のうちのいずれか一項に記載の方法。
【手続補正２】
【補正対象書類名】明細書
【補正対象項目名】０００９
【補正方法】変更
【補正の内容】
【０００９】
本開示の別の実施形態に従い、高温軸受アセンブリを作製する方法を提供する。方法は、概して、高温プラスチックからレースを形成するステップであって、レースは、実質的にはＣ字形に形成されるステップと、スイベルアセンブリを作成するように、スイベルデバイスの周囲でレースを圧縮するステップとを含む。方法はさらに、レースがソケットとスイベルデバイスとの間に設置されるように、ソケットの中にスイベルアセンブリを挿入するステップと、ソケットの中でスイベルアセンブリを圧着するステップとを含む。
例えば、本発明は以下の項目を提供する。
（項目１）
（ａ）ソケットを画定する筐体部分と、
（ｂ）該ソケットの中に配置されるスイベルデバイスと、
（ｃ）該ソケットと該スイベルデバイスとの間に配置されるレースであって、該レースは高温プラスチックから作製される、レースと
を備える、高温軸受アセンブリ。
（項目２）
（ａ）ソケットを画定する筐体部分と、
（ｂ）該ソケットの中に配置されるスイベルデバイスと、
（ｃ）該ソケットと該スイベルデバイスとの間に配置されるレースであって、該レースは高温プラスチックから形成され、該レースは間隙を含み、それにより、該スイベルデバイスが該ソケットの中において圧着されると、該レースは崩れる、高温軸受アセンブリ。
（項目３）
（ａ）ソケットの中に配置されるスイベルデバイスと、
（ｂ）該ソケットと該スイベルデバイスとの間に配置されるレースであって、該レースは高温プラスチックから作製される、レースと
を備える、高温軸受アセンブリ。
（項目４）
高温軸受アセンブリを作製する方法であって、
（ａ）高温プラスチックからレースを形成することと、
（ｂ）スイベルデバイスの周りに該レースを圧縮して、スイベルアセンブリを作成することと、
（ｃ）該レースがソケットと該スイベルデバイスとの間に設置されるように、該ソケットの中に該スイベルアセンブリを挿入することと、
（ｄ）該ソケットの中において該スイベルアセンブリを圧着することと
を含む、方法。
（項目５）
上記レースは、最大で少なくとも約華氏４５０度、最大で少なくとも約華氏５５０度、少なくとも約華氏６５０度、および最大で少なくとも約華氏７５０度から成る群より選択される高温耐性を有する、項目１〜３のうちのいずれか一項に記載の軸受アセンブリまたは項目４に記載の方法。
（項目６）
上記レースの材料は、ポリイミドベースのポリマー、ポリエーテルエーテルケトン熱可塑性物質、およびポリエーテルケトンエーテルケトンケトン熱可塑性物質から成る群より選択される材料を含む、項目１〜３および５のうちのいずれか一項に記載の軸受アセンブリまたは項目４に記載の方法。
（項目７）
上記レースは、圧縮成形または射出成形によって形成される、項目１〜３、５、および６のうちのいずれか一項に記載の軸受アセンブリまたは項目４に記載の方法。
（項目８）
上記レースは、実質的にはＣ字形である、項目１〜３および５〜７のうちのいずれか一項に記載の軸受アセンブリまたは項目４に記載の方法。
（項目９）
上記レースは、間隙を含む、項目１〜３および５〜８のうちのいずれか一項に記載の軸受アセンブリまたは項目４に記載の方法。
（項目１０）
上記間隙は、約０．０２０インチ以下である、項目９に記載の軸受アセンブリまたは方法。
（項目１１）
上記レースは、形状または大きさが５％より大きく変化しない、項目１〜３および５〜１０のうちのいずれか１項に記載の軸受アセンブリまたは項目４に記載の方法。
（項目１２）
上記レースおよび上記スイベルデバイスは、上記ソケットの中において圧着される、項目１〜３および５〜１１のうちのいずれか一項に記載の軸受アセンブリまたは項目４に記載の方法。
（項目１３）
上記筐体部分は、ロッドエンドおよびプレートから成る群より選択される、項目１〜３および５〜１２のうちのいずれか一項に記載の軸受アセンブリまたは項目４に記載の方法。
（項目１４）
上記レースは、上記スイベルデバイスの周りで圧縮される前に焼鈍される、項目４に記載の方法。
（項目１５）
トルクが、上記ソケットの中において上記スイベルアセンブリを圧着する前に試験される、項目４および１４のうちのいずれか一項に記載の方法。
（項目１６）
上記トルクは、上記ソケットの中において上記スイベルアセンブリを圧着した後に試験される、項目４、１４、および１５のうちのいずれか一項に記載の方法。